(57)【特許請求の範囲】
【請求項１】
上下方向に延びる昇降路と、前記昇降路に沿って階層状に設けられた複数の駐車棚とを有する車両格納手段と、
前記昇降路に沿って昇降移動可能に設けられた昇降台と、
前記昇降台を吊下げる索体と、
回転駆動部と、シーブ溝が形成され前記シーブ溝に前記索体が巻掛けられ前記回転駆動部による駆動力を前記索体に伝達して前記昇降台を昇降させる回転伝達体とを有する昇降駆動装置と、
前記昇降台が前記昇降路において設定された複数の基準高さ位置に達した各タイミングを検知する検知手段と、
前記回転駆動部による回転量を取得する回転駆動量取得手段と、
前記検知手段及び前記回転駆動量取得手段からの出力結果に基づいて、前記検知手段による各検知タイミング間で、前記複数の基準位置間で前記昇降台を昇降させるのに必要な前記回転駆動部による回転量を求め、その回転量に基づいて前記索体及び前記回転伝達体の駆動状況を診断する診断制御手段と、
を備え、
前記診断制御手段は、前記検知手段による各検知タイミング間で、前記複数の基準位置間で前記昇降台を昇降させるのに必要な前記回転駆動部による回転量が予め設定された所定の許容範囲外であると判断したときに、駆動状況不合格判定を出力する、エレベータ式駐車装置における索体の駆動状況診断装置。
【請求項２】
請求項１記載のエレベータ式駐車装置における索体の駆動状況診断装置であって、
前記昇降台から前記駐車棚へ、又は、前記駐車棚から前記昇降台へ移動可能な、車両移載用のパレットをさらに備え、
前記診断制御手段は、前記検知手段及び前記回転駆動量取得手段からの出力結果に基づいて、前記検知手段による各検知タイミング間で、前記昇降台に前記パレットが搭載されていない状態にあるときの、前記複数の基準位置間で前記昇降台を昇降させるのに必要な前記回転駆動部による回転量を求め、その回転量に基づいて前記索体及び前記回転伝達体の駆動状況を診断する、エレベータ式駐車装置における索体の駆動状況診断装置。
【請求項３】
請求項１又は２記載のエレベータ式駐車装置における索体の駆動状況診断装置であって、
前記診断制御手段は、入力手段を介して入力された許容範囲設定指令に応じて前記検知手段による各検知タイミング間で前記複数の基準位置間で前記昇降台を昇降させるのに必要な前記回転駆動部による回転量を求め、この前後所定範囲を前記許容範囲に設定する、エレベータ式駐車装置における索体の駆動状況診断装置。
【請求項４】
請求項１〜請求項３のいずれかに記載のエレベータ式駐車装置における索体の駆動状況診断装置であって、
前記検知手段は、前記昇降台及び前記昇降路における複数の基準高さ位置のうちの一方に設けられた検出子と、他方に設けられ前記昇降台の昇降に伴い前記検出子を検出する検出部と、を有するエレベータ式駐車装置における索体の駆動状況診断装置。
【請求項５】
請求項１〜請求項４のいずれかに記載のエレベータ式駐車装置における索体の駆動状況診断装置であって、
前記回転駆動量取得手段は、前記回転駆動部の回転量を検出するロータリーエンコーダである、エレベータ式駐車装置における索体の駆動状況診断装置。
【請求項６】
請求項１〜請求項５のいずれかに記載のエレベータ式駐車装置における索体の駆動状況診断装置であって、
前記複数の基準高さ位置は、地上１階に対応する位置と、最上階に対応する位置とに設定されている、エレベータ式駐車装置における索体の駆動状況診断装置。
【請求項７】
上下方向に延びる昇降路と、前記昇降路に沿って階層状に設けられた複数の駐車棚とを有する車両格納手段と、
前記昇降路に沿って昇降移動可能に設けられた昇降台と、
前記昇降台を吊下げる索体と、
回転駆動部と、シーブ溝が形成され前記シーブ溝に前記索体が巻掛けられ前記回転駆動部による駆動力を前記索体に伝達して前記昇降台を昇降させる回転伝達体とを有する昇降駆動装置と、
を備えたエレベータ式駐車装置における索体の駆動状況診断方法であって、
前記昇降台が前記昇降路において設定された複数の基準高さ位置に達した各タイミング間で、前記複数の基準位置間で前記昇降台を昇降させるのに必要な前記回転駆動部による回転量を求め、その回転量に基づいて前記索体及び前記回転伝達体の駆動状況を診断し、前記回転駆動部による回転量が予め設定された所定の許容範囲外であると判断したときに、駆動状況不合格と判定する、エレベータ式駐車装置における索体の駆動状況診断方法。
【請求項８】
請求項７記載のエレベータ式駐車装置における索体の駆動状況診断方法であって、
前記エレベータ式駐車装置が、前記昇降台から前記駐車棚へ、又は、前記駐車棚から前記昇降台へ移動可能な、車両移載用のパレットをさらに備え、
前記昇降台が前記昇降路において設定された複数の基準高さ位置に達した各タイミング間で、前記昇降台に前記パレットが搭載されていない状態にあるときの、前記複数の基準位置間で前記昇降台を昇降させるのに必要な前記回転駆動部による回転量を求め、その回転量に基づいて前記索体及び前記回転伝達体の駆動状況を診断する、エレベータ式駐車装置における索体の駆動状況診断方法。
【発明の詳細な説明】
【技術分野】
【０００１】
この発明は、エレベータ式駐車装置において、昇降台を昇降させる索体の駆動状況を診断するための技術に関する。
【背景技術】
【０００２】
一般的なエレベータ式駐車装置として、駐車塔の中央部にエレベータ昇降用の昇降路を形成し、この昇降路の左右両側のスペースに駐車棚を階層状に設けると共に、昇降路の最下部に乗入階及び入出庫口を形成したものがある。上記昇降路には、略矩形状に枠組み構成された昇降台が昇降自在に設けられており、昇降台と各駐車棚との間で車両搭載用パレット又は車両自体の移載が行われるように構成されている。また、昇降台の４隅部分が吊下げ索体としての４組のワイヤーロープによって吊下げられている。これら４組のワイヤーロープは、それぞれ昇降路最上部に設けられた転向プーリを経て、駐車塔最上部機械室の昇降駆動部で回転駆動されるに集合して巻掛けられた上で、さらに転向シーブを経て他端側でカウンタウエイトに連結されている。
【０００３】
かかるエレベータ式駐車装置において、昇降路を取囲む４つの棚柱には、乗入階及び各駐車階に対応して被検知板が設けられると共に、昇降台には該被検知板を検知する非接触センサが設けられている。そして、昇降台が昇降する際、非接触センサが被検知板を検知することで、昇降台の現在位置を認識して目的階で停止させるようになっている。
【０００４】
ところで、このようなエレベータ式駐車装置では、長期の使用により、ワイヤロープの摩耗や伸びによる縮径、駆動シーブのシーブ溝の摩耗等を生じる。これらの現象は、モータの回転速度と昇降台の昇降速度との対応関係に変動を生じさせ昇降台の速度制御に問題を生じさせるだけではなく、昇降台の昇降動作自体にも問題を生じさせる。
【０００５】
より具体的に説明する。図９は、ワイヤロープ１１０が駆動シーブ１２０のシーブ溝１２２に巻掛けられた状態を示している。図９（ａ）に示すように、初期状態では、ワイヤロープ１１０はシーブ溝１２２に巻掛けられている。この状態では、ワイヤロープ１１０の直径はＤ０、ワイヤロープ１１０の沈み込み量はｈ０であるとする。これに対して、図９（ｂ）に示すように、シーブ溝１２２が摩耗した場合、ワイヤロープ１１０の摩耗が無い場合でも、ワイヤロープ１１０の沈み込み量ｈ１は、初期の沈み込み量ｈ０よりも大きくなる。また、図９（ｃ）に示すように、ワイヤロープ１１０が摩耗して直径Ｄ１となった場合、シーブ溝１２２の摩耗が無い場合でも、ワイヤロープ１１０の沈み込み量ｈ２は、初期の沈み込み量ｈ０よりも大きくなる。さらに、図９（ｄ）に示すように、シーブ溝１２２のが摩耗すると共にワイヤロープ１１０が摩耗して直径Ｄ２となった場合は、ワイヤロープ１１０の沈み込み量ｈ３は初期の沈み込み量ｈ０よりも大きくなる。
【０００６】
そして、ワイヤロープ１１０の沈み込み量が大きくなれば、結果的に駆動シーブ１２０の駆動半径が小さくなってしまうことになる。これにより、駆動シーブ１２０を回転駆動するモータの回転と昇降台の昇降量との比が初期比より変ってしまう。通常、昇降台を昇降させる際の速度制御は、モータの回転速度を制御することによって実現されるところ、上記のようにモータの回転と昇降台の昇降量との比が初期比より変ってしまうと、昇降台の昇降速度の制御が困難となってしまう。
【０００７】
しかも、ワイヤロープの縮径及びシーブ溝の摩耗が極度に進行すると、シーブ溝でワイヤロープが滑ってしまい、昇降台３２の傾斜を招く恐れもある。
【０００８】
モータの回転速度と昇降台の昇降速度との対応関係の変動については、例えば、その対応関係（比）を適宜補正することによって対処可能である。
【０００９】
しかしながら、ワイヤロープの縮径及びシーブ溝の摩耗等によって生じるワイヤロープの滑りによる問題については、従来、簡便な対処方法はなかった。つまり、特許文献１及び特許文献２に開示のように、保守員の手作業にて、これらの駆動シーブやワイヤロープの摩耗状況等を検査し、許容範囲か否かを判断していた。
【００１０】
【特許文献１】実開昭６１−１９３３０３号公報
【特許文献２】特開平１１−３７７０３号公報
【発明の開示】
【発明が解決しようとする課題】
【００１１】
しかしながら、駆動シーブ等は駐車塔の最上部にある上、上記診断作業自体が摩耗ないし縮径の程度といった非常に細かい内容の検査であるため、上記診断作業を頻繁に実施することは非常に面倒である。
【００１２】
そこで、本発明は、昇降台を昇降させる索体の駆動状況を簡便に診断することを目的とする。
【課題を解決するための手段】
【００１３】
この発明に係るエレベータ式駐車装置における索体の駆動状況診断装置は、上下方向に延びる昇降路と、前記昇降路に沿って階層状に設けられた複数の駐車棚とを有する車両格納手段と、前記昇降路に沿って昇降移動可能に設けられた昇降台と、前記昇降台を吊下げる索体と、回転駆動部と、シーブ溝が形成され前記シーブ溝に前記索体が巻掛けられ前記回転駆動部による駆動力を前記索体に伝達して前記昇降台を昇降させる回転伝達体とを有する昇降駆動装置と、前記昇降台が前記昇降路において設定された複数の基準高さ位置に達した各タイミングを検知する検知手段と、前記回転駆動部による回転量を取得する回転駆動量取得手段と、前記検知手段及び前記回転駆動量取得手段からの出力結果に基づいて、前記検知手段による各検知タイミング間で、前記複数の基準位置間で前記昇降台を昇降させるのに必要な前記回転駆動部による回転量を求め、その回転量に基づいて前記索体及び前記回転伝達体の駆動状況を診断する診断制御手段と、を備えたものである。
【００１４】
また、前記診断制御手段は、前記検知手段による各検知タイミング間で、前記複数の基準位置間で前記昇降台を昇降させるのに必要な前記回転駆動部による回転量が予め設定された所定の許容範囲外であると判断したときに、駆動状況不合格判定を出力するものである。
また、前記昇降台から前記駐車棚へ、又は、前記駐車棚から前記昇降台へ移動可能な、車両移載用のパレットをさらに備え、前記診断制御手段は、前記検知手段及び前記回転駆動量取得手段からの出力結果に基づいて、前記検知手段による各検知タイミング間で、前記昇降台に前記パレットが搭載されていない状態にあるときの、前記複数の基準位置間で前記昇降台を昇降させるのに必要な前記回転駆動部による回転量を求め、その回転量に基づいて前記索体及び前記回転伝達体の駆動状況を診断するものであってもよい。
【００１５】
また、前記診断制御手段は、入力手段を介して入力された許容範囲設定指令に応じて前記検知手段による各検知タイミング間で、前記複数の基準位置間で前記昇降台を昇降させるのに必要な前記回転駆動部による回転量を求め、この前後所定範囲を前記許容範囲に設定するものであってもよい。
【００１６】
さらに、前記検知手段は、前記昇降台及び前記昇降路における複数の基準高さ位置のうちの一方に設けられた検出子と、他方に設けられ前記昇降台の昇降に伴い前記検出子を検出する検出部と、を有するものであってもよい。
【００１７】
また、前記回転駆動量取得手段は、前記回転駆動部の回転量を検出するロータリーエンコーダであってもよい。
【００１８】
また、前記複数の基準高さ位置は、地上１階に対応する位置と、最上階に対応する位置とに設定されていてもよい。
【００１９】
また、この発明に係るエレベータ式駐車装置における索体の駆動状況診断方法は、上下方向に延びる昇降路と、前記昇降路に沿って階層状に設けられた複数の駐車棚とを有する車両格納手段と、前記昇降路に沿って昇降移動可能に設けられた昇降台と、前記昇降台を吊下げる索体と、回転駆動部と、シーブ溝が形成され前記シーブ溝に前記索体が巻掛けられ前記回転駆動部による駆動力を前記索体に伝達して前記昇降台を昇降させる回転伝達体とを有する昇降駆動装置と、を備えたエレベータ式駐車装置における索体の駆動状況診断方法であって、前記昇降台が前記昇降路において設定された複数の基準高さ位置に達した各タイミング間で、前記複数の基準位置間で前記昇降台を昇降させるのに必要な前記回転駆動部による回転量を求め、その回転量に基づいて前記索体及び前記回転伝達体の駆動状況を診断し、前記回転駆動部による回転量が予め設定された所定の許容範囲外であると判断したときに、駆動状況不合格と判定するものである。
この場合に、前記エレベータ式駐車装置が、前記昇降台から前記駐車棚へ、又は、前記駐車棚から前記昇降台へ移動可能な、車両移載用のパレットをさらに備え、前記昇降台が前記昇降路において設定された複数の基準高さ位置に達した各タイミング間で、前記昇降台に前記パレットが搭載されていない状態にあるときの、前記複数の基準位置間で前記昇降台を昇降させるのに必要な前記回転駆動部による回転量を求め、その回転量に基づいて前記索体及び前記回転伝達体の駆動状況を診断してもよい。
【発明の効果】
【００２０】
この発明のエレベータ式駐車装置における索体の駆動状況診断装置によると、前記昇降路に沿って昇降移動可能に設けられた昇降台と、前記昇降台を吊下げる索体と、回転駆動部と、シーブ溝が形成され前記シーブ溝に前記索体が巻掛けられ前記回転駆動部による駆動力を前記索体に伝達して前記昇降台を昇降させる回転伝達体とを有する昇降駆動装置とを備えた構成であるため、摩耗又は伸びにより索体が縮径し或は回転体のシーブ溝が摩耗すると、複数の基準高さ位置間で昇降台を昇降させるのに必要な回転駆動部の回転量が変動する。そこで、前記検知手段及び前記回転駆動量取得手段からの出力結果に基づいて、前記検知手段による各検知タイミング間で前記回転駆動部による回転量を求め、その回転量に基づいて前記索体及び前記回転伝達体の駆動状況を診断することで、昇降台を昇降させる索体の駆動状況を簡便かつ自動的に診断することができる。
【００２１】
また、前記診断制御手段が、前記検知手段による各検知タイミング間で前記回転駆動部による回転量が予め設定された所定の許容範囲外であると判断したときに、駆動状況不合格判定を出力するので、不合格を自動的に判断することができる。
【００２２】
また、前記診断制御手段が、入力手段を介して入力された許容範囲設定指令に応じて前記検知手段による各検知タイミング間での前記回転駆動部による回転量を求め、この前後所定範囲を前記許容範囲に設定すると、例えば、手作業による前記昇降台の調整据付け後に許容範囲設定指令を入力すると、エレベータ式駐車装置の実際の据付け状態等に応じて適切な許容範囲を設定することができる。
【００２３】
また、前記検知手段は、前記昇降台及び前記昇降路における複数の基準高さ位置のうちの一方に設けられた検出子と、他方に設けられ前記昇降台の昇降に伴い前記検出子を検出する検出部とを有する構成であると、昇降台の各基準高さ位置へ到達をより正確に検出できる。
【００２４】
また、前記回転駆動量取得手段は、前記回転駆動部の回転量を検出するロータリーエンコーダであると、その回転量をより正確に検出できる。
【００２５】
また、前記複数の基準高さ位置が、地上１階に対応する位置と、最上階に対応する位置とに設定されていると、上記診断を比較的正確かつ迅速に行える。
【００２６】
この発明のエレベータ式駐車装置における索体の駆動状況診断方法によると、前記昇降路に沿って昇降移動可能に設けられた昇降台と、前記昇降台を吊下げる索体と、回転駆動部と、シーブ溝が形成され前記シーブ溝に前記索体が巻掛けられ前記回転駆動部による駆動力を前記索体に伝達して前記昇降台を昇降させる回転伝達体とを有する昇降駆動装置とを備えた構成では、摩耗又は伸びにより索体が縮径し或は回転体のシーブ溝が摩耗すると、複数の基準高さ位置間で昇降台を昇降させるのに必要な回転駆動部の回転量が変動する。そこで、前記昇降台が前記昇降路において設定された複数の基準高さ位置に達した各タイミング間で前記回転駆動部による回転量を求め、その回転量に基づいて前記索体及び前記回転伝達体の駆動状況を診断することで、昇降台を昇降させる索体の駆動状況を、索体及び前記回転伝達体を直接目視等することなく、簡便に診断することができる。また、前記回転駆動部による回転量が予め設定された所定の許容範囲外であると判断したときに、駆動状況不合格と判定することができる。
【発明を実施するための最良の形態】
【００２７】
以下、この発明の実施形態に係るエレベータ式駐車装置における索体の駆動状況診断装置及び索体の駆動状況診断方法について説明する。
【００２８】
＜エレベータ式駐車装置の全体説明＞
まず、この発明が適用されるエレベータ式駐車装置の全体構成について説明する。図１はエレベータ式駐車装置の全体構成を示す図であり、図２は同エレベータ式駐車装置におけるエレベータ装置部分を示す図である。
【００２９】
このエレベータ式駐車装置は、駐車棚２０を有する格納手段としての駐車塔１０と、昇降台３２を昇降させるエレベータ装置３０とを備えている。そして、外部より入庫された車両２を、昇降台３２により上昇移動させて空き棚である駐車棚２０に移載して格納すると共に、いずれかの駐車棚２０に格納された車両２を、昇降台３２により下降移動させて外部に出庫する構成となっている。以下、各部についてより詳細に説明する。
【００３０】
＜駐車塔内部＞
駐車塔１０は、上下方向に沿って延びる収容空間を有している。そして、その収容空間の略中央部に上下方向に沿って延びる昇降路１２が設けられると共に、該昇降路１２の両側に、複数の駐車棚２０が車両２の高さ寸法以上の間隔をあけて階層状に設けられている。
【００３１】
昇降路１２は、平面視略方形状の空間に形成されており、その平面視形状における四隅には、支柱１４ＦＲ，１４ＦＬ，１４ＲＲ，１４ＲＬが立設されている。後述する昇降台３２は、本支柱１４ＦＲ，１４ＦＬ，１４ＲＲ，１４ＲＬに沿って昇降移動するようになっている。
【００３２】
また、駐車塔１０の最下部であって上記昇降路１２に対応する部分には、入出庫口１６が設けられている。外部の車両２は、本入出庫口１６を経由して駐車塔１０最下部にある昇降台３２に入庫され、また、逆に、駐車塔１０最下部にある昇降台３２から入出庫口１６を経由して外部に出庫される。つまり、駐車塔１０の最下部である地上１階は、車両入出庫用の乗入階１７に構成されている。なお、ここでは、乗入階１７が地上１階である例で説明するが、乗入階は必ずしも地上１階である必要はなく、途中階又は最上階等に設けられていてもよい。
【００３３】
さらに、駐車塔１０の最上部には機械室１１があり、この機械室１１内に、エレベータ装置３０用の昇降駆動装置４０等が格納されている。
【００３４】
＜エレベータ装置＞
エレベータ装置３０は、昇降路１２に沿って昇降移動可能に設けられた昇降台３２と、前記昇降台３２を昇降移動させる昇降駆動装置４０とを備えている。
【００３５】
昇降台３２は、複数のフレーム部材を枠組等することで又は板状部材により、平面視略方形状部材に形成されてており、略水平姿勢で、上記昇降路１２内を昇降移動可能に構成されている。
【００３６】
また、本昇降台３２及び各駐車棚２０上に、パレット２４が配設されると共に、本昇降台３２及び各駐車棚２０に、パレット２４を移動自在に支持するレールが設けられている。そして、昇降台３２が所定段にある駐車棚２０の高さ位置まで昇降した状態で、それぞれのレールが直線状に連続するようになっている。また、昇降台３２には、パレット２４を移動させるパレット移載装置３６が設けられている。そして、昇降台３２が所定段にある駐車棚２０の高さ位置まで昇降した状態で、パレット移載装置３６の駆動により、昇降台３２から駐車棚２０へ、又は、駐車棚２０から昇降台３２へ、パレット２４が移動するようになっている。また、このようなパレット２４の移載により、該パレット２４上に搭載された車両２が昇降台３２から駐車棚２０へ、又は、駐車棚２０から昇降台３２へ移載されるようになっている。
【００３７】
なお、パレット２４を省略し、昇降台３２と各駐車棚２０との間で、車両２を直接移載する構成を採用してもよい。
【００３８】
また、本駐車装置には、昇降台３２及び各駐車棚２０に、両者の高さ位置を揃えるべく、例えば、特開２００３−９７０７７号公報に開示されるような位置決めロッキング装置（図５参照）が組込まれている。
【００３９】
昇降駆動装置４０は、上記昇降台３２を昇降移動させる手段である。すなわち、昇降駆動装置４０は、上記機械室１１に設置されており、昇降駆動部４２と駆動シーブ４４とを備えている。昇降駆動部４２は、昇降台３２を昇降駆動するブレーキ付の正逆回転モータ４２ａと減速機４２ｂとこれらにより回転駆動される駆動軸４２ｃとを備えている。
【００４０】
正逆回転モータ４２ａは、機械室１１内の一定位置に設けられており、後述する駐車装置制御部５０の指令に応じて昇降台３２を昇降させるべく正逆両方向に回転駆動する回転駆動部として機能する。
【００４１】
また、この正逆回転モータ４２ａには、その回転量を取得する回転量取得手段としてロータリーエンコーダ等のパルス発生器４３が組込まれている（図５参照）。このパルス発生器４３は、上記正逆回転モータ４２ａの回転軸に連結されており、所定の原点位置からの正逆回転モータ４２ａの回転量に応じたパルス信号を生成して後述する駐車装置制御部５０に与えるようになっている。このパルス発生器４３により、モータ４２ａの回転量をより正確に検出できる。なお、パルス発生器４３は、必ずしも正逆回転モータ４２ａの回転軸に連結されている必要はなく、例えば、駆動シーブ４４や転向シーブ４６の回転軸等に連結されていてもよい。
【００４２】
駆動シーブ４４は、駆動軸４２ｃに取付けられており、昇降駆動部４２の駆動により正逆両方向に回転駆動される。また、この駆動シーブ４４の近傍位置に、転向シーブ４６が回転可能に設けられている。これら駆動シーブ４４及び転向シーブ４６には、それぞれ複数（ここでは４つ）のシーブ溝４４ａ，４６ａが形成されている。駆動シーブ４４は、上記回転モータ４２ａによる駆動力をワイヤロープ４８に伝達して昇降台３２を昇降させる回転伝達体として機能する。
【００４３】
また、機械室１１内であって、昇降路１２の４隅に対応する上方各位置に、４つの転向プーリ４７が設けられている。
【００４４】
また、索体としての４本のワイヤロープ４８の一端部が昇降台３２の４隅にそれぞれ固定されている。この各ワイヤロープ４８は、上記各転向プーリ４７に巻掛けられると共に、集合させた状態で駆動シーブ４４の各シーブ溝４４ａに巻掛けられた上で、さらに、転向シーブ４６の各シーブ溝４６ａに巻掛けられる。また、各ワイヤロープ４８の他端部には、カウンタウエイト４９が連結されている。
【００４５】
そして、上記昇降駆動部４２の駆動により駆動シーブ４４を正転方向又は逆転方向に回転させることで、ワイヤロープ４８が巻上げられ、又は、巻降ろされて、昇降台３２が昇降路１２内を昇降移動するようになっている。
【００４６】
＜検知手段＞
また、上記昇降台３２及び支柱１４ＦＲ，１４ＦＬ，１４ＲＲ，１４ＲＬには、昇降台３２が前記昇降路１２において設定された複数の基準高さ位置に達した各タイミングを検知する検知手段が組込まれている。ここでは、各基準高さ位置が、昇降路１２において乗入階１７及び各駐車棚２０の位置、即ち、地上１階から最上階までの各階に対応する位置に設定された例で説明する。もっとも、上記各基準高さ位置は、各階に対応する位置に設定されている必要はなく、地上１階とそれよりも上の任意の階（例えば最上階）、又は、各階の間等に設定されていてもよい。
【００４７】
図３は昇降台が上記各基準高さ位置に達したか否かを検知する手段を示す斜視図である。図２及び図３に示すように、昇降台３２の４隅のうちの一つの隅部分には、検出部Ｚ０１及び検出部Ｚ０２が設けられている。また、支柱１４ＦＲ，１４ＦＬ，１４ＲＲ，１４ＲＬのうち上記検出部Ｚ０１，Ｚ０２に対応する支柱１４ＲＲには、乗入階１７及び各駐車棚２０に対応する各高さ位置（基準高さ位置）に、被検出子として被検知板ＳＴ０１，ＳＴ０２が設けられている。被検知板ＳＴ０１，ＳＴ０２は、それぞれ検出部Ｚ０１，Ｚ０２に対応している。そして、昇降台３２の昇降移動中の各階において、検出部Ｚ０１が被検知板ＳＴ０１に対応する高さ位置を通過する際に該被検知板ＳＴ０１を検出し、また、検出部Ｚ０２が被検知板ＳＴ０２に対応する高さ位置を通過する際に該被検知板ＳＴ０２を検出するようになっている。
【００４８】
なお、被検知板ＳＴ０１，ＳＴ０２は、被検知板ＳＴ０１を下方に被検知板ＳＴ０２を上方にという態様で所定量Ｄだけ上下にずらして設けられている。そして、昇降台３２の上昇中には、検出部Ｚ０１が被検知板ＳＴ０１を検出した後のタイミングで続いて検出部Ｚ０２が被検知板ＳＴ０２を検出し、昇降台３２の下降中には、検出部Ｚ０２が被検知板ＳＴ０２を検出した後のタイミングで続いて検出部Ｚ０１が被検知板ＳＴ０１を検出するようになっている。これにより、昇降台３２の昇降及び下降を判別すると共に、各到達階をカウントして判別することで昇降台３２の昇降制御等を行えるようになっている。
【００４９】
これら検出部Ｚ０１，Ｚ０２による被検知板ＳＴ０１，ＳＴ０２の検出タイミングに応じて、後述する駐車装置制御部５０がモータ４２ａの駆動を制御することで、昇降台３２を乗入階１７又は所定の駐車棚２０に昇降させて停止させるようになっている。また、検出部Ｚ０１による検出タイミングに基づいて後述する駆動状況診断処理が行われるようになっている。つまり、本実施形態では、検出部Ｚ０１及び各階に設けられた被検知板ＳＴ０１が昇降台３２が各基準高さ位置に達した各タイミングを検知するための検知手段として機能する。特に、昇降台３２に設けられた検出部Ｚ０１及び各階に設けられた被検知板ＳＴ０１によって、昇降台３２が各階に達したタイミングをより正確に検出できる。
【００５０】
なお、上記検出部Ｚ０１，Ｚ０２としては、非接触式又は接触式のセンサを有する構成のものが使用される。センサとしては、検知子による遮光の有無によって検知を行う光電式のセンサや、検知子による磁気反応の有無によって検知を行う磁気式のセンサ等、非接触式のものを用いることが好ましい。
【００５１】
＜エレベータ式駐車装置の電気的構成＞
図５は、エレベータ式駐車装置の電気的構成を示すブロック図である。このエレベータ式駐車装置は、駐車装置制御部５０と駆動部６０と検知器７０とパルス発生器４３と操作パネル８０と案内表示器５５と送受信装置９０とが、入出力装置５８を介して相互接続された構成とされている。
【００５２】
駐車装置制御部５０は、ＲＯＭ５１ａやＲＡＭ５１ｂ等の記憶手段５１とＣＰＵ５２等を含む一般的なマイクロコンピュータによって構成されている。そして、駐車装置制御部５０は、予め格納されたソフトウェアプログラムによって演算動作を実行して、昇降台３２の昇降動作制御等を含む本駐車装置の全体制御を司るようになっている。また、この駐車装置制御部５０は、後に詳述するように、上記検知手段及びパルス発生器４３からの出力結果に基づいて、検知手段による各検知タイミング間で回転モータ４２ａによる回転量を求め、その回転量に基づいてワイヤロープ４８及び駆動シーブ４４の駆動状況を診断する処理を実行する診断制御手段として機能するようになっている。
【００５３】
駆動部６０は、昇降台３２を昇降させる昇降駆動部４２と、昇降台３２と各駐車棚２０との間でパレット２４を移載するパレット移載駆動部３６ａと、位置決めロッキング装置を駆動させる駐車棚２０／昇降台３２のロッキング駆動部６４と、駐車塔１０の入出庫口１６に設けられた開閉扉（図示省略）を開閉駆動する入出庫扉駆動部６６等を備えている。
【００５４】
そして、これらの各駆動部４２，３６ａ，６４，６６が、上記駐車装置制御部５０から入出力装置５８を介して与えられる動作指令に応じて、それぞれ駆動するようになっている。
【００５５】
検知器７０は、乗入階着床検知器群７２と駐車階着床検知器群７４と乗入階車両検知器群７８等を備えている。
【００５６】
乗入階着床検知器群７２は、昇降台３２が乗入階１７に着床したか否かを検知する少なくとも一つのセンサ（図示省略）を有している。
【００５７】
駐車階着床検知器群７４は、上記検知部Ｚ０１，Ｚ０２等により構成されており、昇降台３２が各駐車棚２０に対応する駐車階に着床したか否かを検知するように構成されている。
【００５８】
乗入階車両検知器群７８は、乗入階１７に設けられた少なくとも一つのセンサ（図示省略）を備えており、乗入階１７における車両２の存否を検知するようになっている。
【００５９】
これら各検知器群７２，７４，７８からの検知結果は、入出力装置５８を介して駐車装置制御部５０に与えられるようになっている。
【００６０】
操作パネル８０は、駐車塔１０の外壁等に設けられており、運転モード切換スイッチ８２と点検モード切替スイッチ８３と表示部８５等を備えている。
【００６１】
運転モード切換スイッチ８２は、本駐車装置の運転モードを、自動モード、手動モード、保守点検モードに択一的に切替える入力手段である。
【００６２】
また、点検モード切替スイッチ８３は、本駐車装置における点検モードを、階高診断モードに切替えるための入力手段である。そして、本駐車装置が保守点検モードに切替えられた状態で、階高診断モードを指定して所定の指令を入力することで、後述する駆動状況診断処理が実行される。そして、その処理診断結果が、表示部８５に表示されるようになっている。
【００６３】
また、この操作パネル８０は、本駐車装置全体の電源をオンオフするための電源オンオフキースイッチ８１や、テンキー等の入力キー８４、カード挿入口８６等を備えており、エレベータ式駐車装置の一般的な動作に必要な諸入力を受付けるようになっている。
【００６４】
この操作パネル８０で受付けられた入力は、入出力装置５８を介して駐車装置制御部５０に与えられると共に、駐車装置制御部５０での処理結果が表示部８５等に表示されるようになっている。
【００６５】
案内表示器５５は、車両２の入出庫に際して車両２の運転者に対して所定の案内を行う入庫案内表示器５６や入出庫案内表示器５７等を備えている。そして、駐車装置制御部５０からの表示指令に応じて、所定のタイミングで、入庫案内表示器５６や入出庫案内表示器５７を通じて車両２の運転者に対して入庫案内等を表示するようになっている。
【００６６】
送受信装置９０は、本エレベータ式駐車装置を、外部の通信網９２に接続するための装置である。すなわち、本エレベータ式駐車装置は、本送受信装置９０から通信網９２を介して、外部の遠隔保守センター等にある遠隔保守コンピュータ９４や、携帯端末９６に通信可能に接続される。そして、遠隔保守コンピュータ９４や携帯端末９６からの指令を受けて、水平度合診断処理を実行し、また、診断結果を遠隔保守コンピュータ９４や携帯端末９６に送信できるようになっている。
【００６７】
ここでの通信網９２は、有線式であっても無線式であってもよいし、また、公衆通信網であっても専用回線による通信網であってもよい。
【００６８】
＜動作説明＞
このように構成されたエレベータ式駐車装置は、従来の一般的なエレベータ式駐車装置と同様に車両２の格納動作を行う。すなわち、入庫時には、パレット２４を搭載した昇降台３２を乗入階１７に下降させて、ここで、車両２をパレット２４上に乗入れる。そして、昇降台３２を所定階に上昇させた状態で、車両２を該階の駐車棚２０にパレット２４ごと移載する。そして、出庫時には、所定階の駐車棚２０に格納された車両２をパレット２４ごと昇降台３２に移載した後、昇降台３２を乗入階１７に下降させる。そして、パレット２４から車両２を駐車塔１０外に出庫する。これらの入出庫動作自体は、従来より周知であるのでここでは詳細な説明を省略する。
【００６９】
このエレベータ式駐車装置は、上記のような車両２の入出庫処理の他に、ワイヤロープ４８及び駆動シーブ４４の駆動状況診断処理を行う機能を有しており、その駆動状況診断処理についてより詳細に説明する。
【００７０】
まず、このエレベータ式駐車装置におけるワイヤロープ４８及び駆動シーブ４４の駆動状況診断処理を行うにあたっては、事前に、ティーチング処理を行う必要があり、そのティーチング処理について説明する。
【００７１】
図６はティーチング処理を示すフローチャートである。
【００７２】
まず、電源オンオフキースイッチ８１を「入」状態に、運転モード切換スイッチ８２を「保守点検モード」に、点検モード切替スイッチ８３を「階高診断モード」に切替える。なお、初期状態で、昇降台３２はパレット２４を搭載していない状態で原点階（原点位置、例えば、乗入階１７）に着床した状態となっている。この状態では、昇降台３２の検出部Ｚ０１，Ｚ０２は全てオン状態になっており、また、昇降台３２は乗入階１７でロックされた状態となっている。さらに、乗入階１７は、無人状態で、かつ、入出庫扉も閉じた状態となっている。
【００７３】
この状態で、入力キー８４等を介してティーチング処理を実行する旨の指令（許容範囲設定指令）を与える。すると、駐車装置制御部５０の制御下以下の処理が実行される。すなわち、昇降台３２に対するロックが解除され、ステップＳ１に示すように、昇降台３２は原点階から上昇する。
【００７４】
なお、原点階（原点位置）は乗入れ階である必要はない。例えば、乗入れ階付近又はその他の場所に、原点センサを付加的に設け、この原点センサを通じて昇降台３２が所定高さ位置に達したことが検知されたときに、昇降台３２が該原点位置にあると判定してリセット（原点復帰）するようにしてもよい。
【００７５】
次に、ステップＳ２において、検出部Ｚ０１がオフ状態になったか否かが判定され、検出部Ｚ０１がオフになるまで、ステップＳ２の判定処理が繰返される。そして、昇降台３２が所定量以上上昇すると、検出部Ｚ０１のオフ状態への立ち下がりが判定され、次ステップＳ３に進む。
【００７６】
ステップＳ３では、パルス発生器４３からの出力に基づいて、検出部Ｚ０１がオフ状態に切替ったタイミングでのパルス発生器４３のパルス数（原点位置からカウントされたパルス数）が記憶手段５１に記憶される。なお、このパルス数は、回転モータ４２ａによる回転量を数値化して表したものである。
【００７７】
次に、ステップＳ４において、検出部Ｚ０１がオンになったか否かが判定され、オン状態に切り替ったと判定されるまで、ステップＳ４の処理が繰返される。昇降台が次の上方への階に達し、検出部Ｚ０１がオンになったと判定されると、次ステップＳ５に進む。
【００７８】
ステップＳ５では、直前のステップＳ４で検出部Ｚ０１がオンになったと判定されたタイミングでのパルス発生器４３のパルス数（原点位置からカウントされたパルス数）をＰＮｘとして記憶手段５１に記憶させる。なお、パルス数ＰＮｘの”ｘ”は、初期値”１”で、以降ステップＳ４を経由するたびに値”１”ずつ増加する正の整数である。
【００７９】
次ステップＳ６では、昇降台３２が最上階に着床したか否かが判定される。ここでは、判定は、例えば、前記値ｘが最上階に対応する値Ｘになったか否かをもってなされる。ここで、昇降台３２が最上階に着床していないと判断されると、ステップＳ１２に進む。ステップＳ１２では、昇降台３２の上昇を継続し、ステップＳ４に戻り、ステップＳ４〜Ｓ６の処理を繰返す。
【００８０】
一方、ステップＳ６で昇降台３２が最上階に着床したと判断されると、ステップＳ７に進む。この状態では、記憶手段５１には、原点階に対応するパルス数ＰＮ０，それより上の階から最上階までの各階に対応する各パルス数ＰＮｘが記憶される。
【００８１】
ステップＳ７では昇降台３２の上昇を停止させた後、ステップＳ８に進む。
【００８２】
ステップＳ８では、パルス数ＰＮ０，ＰＮｘのそれぞれに所定の係数ｋを乗じて、昇降台３２の上昇量をより直接的に示す値Ｌ０，Ｌｘに数値化する。ここで、所定の係数は、１パルスあたりの昇降台３２の昇降量を示す係数であり、理論的に或は実験的に求められる値である。なお、この換算後の値Ｌ０，Ｌｘも回転モータ４２ａによる回転量を間接的に示す値に含まれる。つまり、本診断処理を行う基準となる回転量には、回転量に応じて決定される全ての数値を含む。
【００８３】
続くステップＳ９では、上記各駐車棚２０がある駐車階の各階高として△Ｌｘ＝Ｌ０−Ｌｘを求める。そして、求められた各階高を基準にして、△Ｌｘ±βを階高基準値（許容範囲）として記憶手段５１に記憶する。なお、このβは許容差であり、どの程度の許容差が許されるかは経験的、実験的に設定される。
【００８４】
次ステップＳ１０では、昇降台３２を下降させる。そして、ステップＳ１１では昇降台３２が原点階に着床したか否かが判定され、昇降台３２が原点階に着床して停止すると、ティーチング処理を終了する。
【００８５】
ここで、検出部Ｚ０１のオンオフタイミングと、パルス数ＰＮ０，ＰＮｘの取得タイミング及び階高△Ｌｘとの関係について図８を参照して説明しておく。
【００８６】
すなわち、昇降台３２が原点階より上昇し検出部Ｚ０１がオフになったタイミングで、パルス数ＰＮ０が取得される（ステップＳ２，Ｓ３参照）。続いて、昇降台３２が２階、３階・・・に達し検出部Ｚ０１がオンになった各タイミングで、パルス数ＰＮ１，ＰＮ２・・・が取得される（ステップＳ４〜ステップＳ６参照）。そして、最上階のＸ階に達して検出部Ｚ０１がオンになったタイミングでパルス数ＰＮＸが取得される（ステップＳ４〜ステップＳ６参照）。また、それぞれのパルス数ＰＮ０，ＰＮ１，ＰＮ２・・・ＰＮＸに係数ｋが乗算されることで、各階高を示すＬ０，Ｌ１，Ｌ２・・・ＬＸに変換される（ステップＳ８参照）。続いて、△Ｌｘ＝Ｌ０−Ｌｘの演算を行うことで、階に対応する階高△Ｌ１，△Ｌ２・・・△ＬＸが得られる。なお、この各階高△Ｌ１，△Ｌ２・・・△ＬＸは、初期状態等の一定の状態で想定される係数ｋに基づいて算出された値であり、後述するように、ワイヤロープ４８や駆動シーブ４４の状況等によって変動する値であり、正確な階高を示すものではない。
【００８７】
次に、ワイヤロープ４８及び駆動シーブ４４の駆動状況診断処理について説明する。図７は駆動状況診断処理を示すフローチャートである。
【００８８】
まず、電源オンオフキースイッチ８１を「入」状態に、運転モード切換スイッチ８２を「保守点検モード」に、点検モード切替スイッチ８３を「水平レベル判定モード」に切替える。なお、初期状態では、上記ティーチング処理における初期状態と同様になっている。
【００８９】
この状態で、入力キー８４等を介して診断処理を開始する旨指令する。すると、上記ティーチング処理におけるステップＳ１〜Ｓ６及びＳ１２と同様の処理が実行される。なお、ここでは、各駐車階のパルス数はＰＮａ０，ＰＮａｘとして記憶される。
【００９０】
ここで、駆動シーブ４４のシーブ溝４４ａの摩耗や、摩耗ないし伸びによるワイヤロープ４８の縮径が生じていた場合、駆動シーブ４４の駆動半径は上記ティーチング処理を行った状態よりも小さくなっている。このため、昇降台３２を一定高さ上昇させるのに必要な回転モータ４２ａの回転量は、上記ティーチング処理を行った場合よりも大きくなる。つまり、摩耗や伸びによるワイヤロープ４８の縮径及び駆動シーブ４４の摩耗が生じていた場合、ここで得られた各駐車階に対応するパルス数ＰＮａ０，ＰＮａｘは、ティーチング処理で得られたパルス数ＰＮｘよりも大きくなる。
【００９１】
ステップＳ６で昇降台３２が最上階に達したと判定されると、ステップＳ２８に進む。ステップＳ２８では、パルス数ＰＮａ０，ＰＮａｘに、上記所定の係数ｋを乗じて、値Ｌａ０，Ｌａｘに数値化する。
【００９２】
続くステップＳ２９において、上記各駐車棚２０がある駐車階の各階高として△Ｌａｘ＝Ｌａ０−Ｌａｘを求め、これを記憶手段５１に記憶し、次ステップＳ３０に進む。
【００９３】
ステップＳ３０では、駐車階の各階高△Ｌａｘが、上記階高基準値△Ｌｘ±βの範囲内であるか否かが判定される。なお、各階高△Ｌａｘが階高基準値△Ｌｘ±βの上限値又は下限値と同じである場合には、ＹＥＳ、ＮＯのいずれの判定を下してもよい。
【００９４】
駐車階の各階高△Ｌａｘが、上記階高基準値△Ｌｘ±βの範囲内であると判定された場合には、ステップＳ３１に進み、合格判定を下す。そして、合格判定である旨を、例えば、表示部８５に表示させてステップＳ３２に進む。
【００９５】
一方、ステップＳ３０において、駐車階の各階高△Ｌａｘが、上記階高基準値△Ｌｘ±βの範囲外であると判定された場合には、ステップＳ３４に進み、不合格判定を下す。そして、不合格である旨を記録及び表示する。なお、不合格である旨を表示する場合には、例えば、「シーブ溝の摩耗激化の疑いあり、シーブ溝の修削指令」等を表示させるようにするとよい。この後、ステップＳ３２に進む。
【００９６】
ステップＳ３２では、昇降台３２を下降させる。そして、次ステップＳ３３で昇降台３２が原点階に着床したか否かが判定され、昇降台３２が原点階に着床して停止すると、駆動状況診断処理を終了する。
【００９７】
そして、上記ステップＳ３４で不合格判定が下されその旨表示されると、保守員が駐車塔１０の機械室１１内に立入り、駆動シーブ４４の目視検査や、各シーブ溝４４ａにおけるワイヤロープ４８の沈み込み量の測定、シーブ溝１２２の撮影による検査等を行って、詳細な調査を行う。
【００９８】
なお、上記ティーチング処理及び診断処理において、昇降台３２の出発位置となる原点位置は、乗入階１７の他、それよりも上の各階床位置又は各階床間に設定されていてもよい。また、昇降台３２は当該原点位置より下降しつつ上記各処理を行うものであってもよい。
【００９９】
以上のように構成されたエレベータ式駐車装置における索体の駆動状況診断装置及び駆動状況診断方法によると、回転モータ４２ａによる駆動力を、駆動シーブ４４を介してワイヤロープ４８に伝達して昇降台３２を昇降させる構成であるところ、ワイヤロープ４８が縮径し或は駆動シーブ４４が摩耗すると、各階間（複数の基準高さ位置間）で昇降台３２を昇降させるのに必要な回転モータ４２ａの回転量が変動する。そこで、検出部Ｚ０１及び被検知板ＳＴ０１を含む検知手段及びパルス発生器４３からの出力結果に基づいて、昇降台３２が各階高を検知するタイミング間で回転モータ４２ａの回転量を求め、その回転量に応じて算出される階高△Ｌａｘに基づいてワイヤロープ４８及び駆動シーブ４４の駆動状況を診断することで、それらの駆動状況を簡便に診断でき、また、自動的に診断することができる。
【０１００】
より具体的に説明すると、従来では、ワイヤロープ４８及び駆動シーブ４４の駆動状況に拘らず、一定期間ごとに、保守員が駐車塔１０の機械室１１に立入って、ノギスや曲尺、専用測定具等を用いて複数のワイヤロープ４８の直径を測定したり、複数のシーブ溝４４ａにおけるワイヤロープ４８の沈み込み量を測定したりしていた。そして、これらの点検作業には長時間を要していた。ところが、本駆動状況診断装置及び診断方法によると、昇降台３２を地上階から上昇させることで、ワイヤロープ４８の縮径やシーブ溝４４ａの摩耗による不具合を短時間かつ自動的に測定できる。そして、上記基準範囲から外れて不具合が診断された場合になって、初めて保守員による入念な点検作業を行えばよいことになる。
【０１０１】
また、特に、各タイミング間での回転量に応じた階高△Ｌａｘが、予め設定された所定の基準値△Ｌｘ±βの範囲外であると判断したときに、駆動状況の不合格判定を出力するため、不合格を自動的に判断することができる。
【０１０２】
なお、本実施形態では、パルス数ＰＮ０，ＰＮｘを、該パルス数に応じた上昇量を示すＬ０，Ｌｘに応じた値に換算して、上記診断処理を行っているが必ずしもその必要はない。パルス数ＰＮ０，ＰＮｘを基準に許容範囲を決定してティーチング処理及び駆動状況診断処理を行うようにしてもよい。また、本実施形態では、地上１階と各階間での階高値△Ｌを算出して、これを基準に診断処理を行っているが必ずしもその必要はない。例えば、各階間でのパルス数又はこれに応じた昇降量を求めて診断処理を行ってもよい。
【０１０３】
特に、地上１階である原点階と最上階間でのパルス数又はこれに応じた昇降量を求めて上記と同様に診断処理を行うようにしてもよい。この場合であっても、地上１階である原点階と最上階間の離間距離は最も大きいため、駆動シーブ４４の駆動半径が小さくなることによる影響は、地上１階に設定された原点階と最上階間でのパルス数の変動に最も影響するから、比較的正確に診断処理を行える。また、各階間での検知や診断処理を省略できるから、比較的迅速に診断処理を行えるようになる。
【０１０４】
また、駐車装置制御部５０が、許容範囲設定指令に応じて検知手段による各検知タイミング間での回転モータ４２ａの回転量、即ち、パルス数ＰＮ０，ＰＮｘを取得し、このパルスＰＮ０，ＰＮｘに基づいて△Ｌｘ±βを求めているため、エレベータ式駐車装置の実際の据付け状態等に応じて適切な許容範囲を設定することができる。
【０１０５】
＜変形例＞
なお、各階高△Ｌｘに対する許容差βは、各階高△Ｌｘごとに別々の値であってもよい。また、各階高△Ｌｘを中心にして、上限方向への差と下限方向への許容差とが別々に設定されていてもよい。このβは、エレベータ式駐車装置の種類、収容台数、収容対象車種、鉄塔式であるかビル建築物に組込まれた構成のものであるか、パレット２４が旋回する方式のものか否か等に応じて経験的、実験的に設定される。
【０１０６】
また、本実施形態では、検知手段は、昇降台３２に設けられた検出部Ｚ０１と、支柱１４ＲＲに設けられた被検知板ＳＴ０１とを備えた構成となっているが、これらが逆の位置に設けられていてもよい。
【０１０７】
また、上記実施形態では、保守員が駐車塔１０にある操作パネル８０を操作することで、駆動状況診断処理を実行させるようにしたが、通信網９２を介して遠隔操作により上記各処理を行わせるようにしてもよい。すなわち、外部の遠隔保守センター等にある遠隔保守コンピュータ９４や携帯端末９６を通じて、日時を指定して駆動状況診断処理を行う指令を入力しておく。指定される日時は、深夜等、利用者が利用しないと想定される非稼働時間帯内で設定されることが好ましい。そして、指定された日時に、駐車装置制御部５０が駆動状況診断処理を実行する。
【０１０８】
この診断結果は、例えば、プリンタにて印刷されて後刻保守員に提供されたり、又は、通信網９２から携帯端末９６を通じて保守員に提供される。これにより、保守員がエレベータ式駐車装置の定期保守作業を行う際に、駆動状況診断処理して実行する手順を省略することができ、該保守作業を短時間で行える。
【０１０９】
また、上記診断結果は、例えば、通信網９２から遠隔保守コンピュータ９４に提供される。そして、遠隔保守センターにて、センター保守員が診断結果に基づいて継続稼働可能か否か補修計画が必要か等の保守計画を立案する用途に役立てられ得る。
【０１１０】
また、本駆動状況診断処理を実行する段階にて、入出庫扉は開いた状態であってもよい。また、昇降台３２を手動操作で昇降させて診断処理を行うようにしてもよい。入出庫扉が開いたままの状態であると、昇降台３２の昇降状況を目視にて監視しつつ診断処理を行う場合に便利である。
【図面の簡単な説明】
【０１１１】
【図１】エレベータ式駐車装置の全体構成を示す図である。
【図２】同上のエレベータ式駐車装置におけるエレベータ装置部分を示す図である。
【図３】昇降台が上記各基準高さ位置に達したか否かを検知する手段を示す側面図である。
【図４】昇降台が上記各基準高さ位置に達したか否かを検知する手段を示す平面図である。
【図５】エレベータ式駐車装置の電気的構成を示すブロック図である。
【図６】ティーチング処理を示すフローチャートである。
【図７】駆動状況診断処理を示すフローチャートである。
【図８】検出部Ｚ０１のオンオフタイミングとパルス数ＰＮ０，ＰＮｘ及び階高△Ｌｘとの関係を示す図である。
【図９】エレベータ式駐車装置における問題点を示す図である。
【符号の説明】
【０１１２】
１０  駐車塔
１４ＦＲ，１４ＦＬ，１４ＲＲ，１４ＲＬ  支柱
１７  乗入階
２０  駐車棚
３０  エレベータ装置
３２  昇降台
４０  昇降駆動装置
４２ａ  回転モータ
４３  パルス発生器
４４  駆動シーブ
４４ａ  シーブ溝
４８  ワイヤロープ
５０  駐車装置制御部
５１  記憶手段
８３  点検モード切替スイッチ
ＳＴ０１，ＳＴ０２  被検知板
Ｚ０１，Ｚ０２  検出部
β  許容差
【図１】
0005116974.tif 000002
【図２】
0005116974.tif 000003
【図３】
0005116974.tif 000004
【図４】
0005116974.tif 000005
【図５】
0005116974.tif 000006
【図６】
0005116974.tif 000007
【図７】
0005116974.tif 000008
【図８】
0005116974.tif 000009
【図９】
0005116974.tif 000010